(57)【特許請求の範囲】
【請求項１】
時分割二重システムに基づく異種ネットワークのピコ・セルまたはマクロ・セルの制御デバイスの中央処理装置において、動的アップリンクおよびダウンリンク資源構成を実行するようにユーザ機器に命令する方法であって、
Ａ．前記動的アップリンクおよびダウンリンク構成が、放送チャネル信号通信で確保されたビットを使用することによって前記ユーザ機器のためにトリガされるかどうかを指示するステップと、
Ｂ．前記動的アップリンクおよびダウンリンク構成が前記ユーザ機器のためにトリガされるときに物理ダウンリンク制御チャネル信号通信でダウンリンク制御情報のためにフレーム内のサブフレームの資源を割り当てるステップであって、前記フレーム内の前記サブフレームの位置が、一対一方式で、前記ユーザ機器によって現在採用される動的アップリンクおよびダウンリンク構成タイプに対応し、そして、前記フレーム内の前記サブフレームの前記位置が、前記ユーザ機器によって現在採用される動的アップリンクおよびダウンリンク構成タイプを指示する、ステップと、
Ｃ．前記ユーザ機器に前記フレームを備える前記物理ダウンリンク制御チャネル信号通信を送信するステップと
を含む、方法。
【請求項２】
前記サブフレームが、各短期間中の第１のフレーム内または各短期間中の前記第１のフレームの第１のハーフフレーム内に置かれる、請求項１に記載の方法。
【請求項３】
前記物理ダウンリンク制御チャネル信号通信が、ユーザ機器特有のセル無線ネットワーク一時識別子でスクランブルされた周期的冗長検査を採用する、請求項１に記載の方法。
【請求項４】
前記制御デバイスが、ピコ・セル基地局または遠隔無線ヘッダを備える、請求項１に記載の方法。
【請求項５】
時分割二重システムに基づく異種ネットワークのピコ・セル内のユーザ機器において、基地局から動的アップリンクおよびダウンリンク資源構成情報を取得する方法であって、
Ａ．前記基地局から放送チャネル信号通信を受信するステップであって、前記放送チャネル信号通信が、動的アップリンクおよびダウンリンク構成が前記ユーザ機器のためにトリガされるかどうかを指示するビットを備える、ステップと、
Ｂ．前記動的アップリンクおよびダウンリンク構成が前記ユーザ機器のためにトリガされることを前記ビットが指示するときに物理ダウンリンク制御チャネル信号通信を受信するステップであって、前記物理ダウンリンク制御チャネル信号通信がダウンリンク制御情報を備え、そして、フレーム内の前記ダウンリンク制御情報を備えるサブフレームの位置が、前記ユーザ機器によって現在採用される動的アップリンクおよびダウンリンク構成タイプを指示する、ステップと、
Ｃ．前記動的アップリンクおよびダウンリンク構成タイプに従って、対応するアップリンクおよびダウンリンク伝送を実行するステップと
を含む、方法。
【請求項６】
動的アップリンクおよびダウンリンク資源構成を実行するようにユーザ機器に命令するための、時分割二重システムに基づく異種ネットワークのピコ・セルまたはマクロ・セルの制御デバイスの中央処理装置内の、第１の装置であって、
前記動的アップリンクおよびダウンリンク構成が、放送チャネル信号通信で確保されたビットを使用することによって前記ユーザ機器のためにトリガされるかどうかを指示するように構成された、第１のトリガ・デバイスと、
前記動的アップリンクおよびダウンリンク構成が前記ユーザ機器のためにトリガされるときに物理ダウンリンク制御チャネル信号通信でダウンリンク制御情報のためにフレーム内のサブフレームの資源を割り当てるように構成された、割当てデバイスであって、前記フレーム内の前記サブフレームの位置が、一対一方式で、前記ユーザ機器によって現在採用される動的アップリンクおよびダウンリンク構成タイプに対応し、そして、前記フレーム内の前記サブフレームの前記位置が、前記ユーザ機器によって現在採用される動的アップリンクおよびダウンリンク構成タイプを指示する、割当てデバイスと
前記ユーザ機器に前記フレームを含む前記物理ダウンリンク制御チャネル信号通信を送信するように構成された、第１の送信機
を備える、第１の装置。
【請求項７】
前記サブフレームが、各短期間中の第１のフレームまたは各短期間中の前記第１のフレームの第１のハーフフレーム内に置かれる、請求項６に記載の第１の装置。
【請求項８】
基地局から動的アップリンクおよびダウンリンク資源構成情報を取得するための、時分割二重システムに基づく異種ネットワークのピコ・セル内のユーザ機器内の、第３の装置であって、
動的アップリンクおよびダウンリンク構成が前記ユーザ機器のためにトリガされるかどうかを指示するビットを備える放送チャネル信号通信を前記基地局から受信するように構成された第１の受信機であって、
前記第１の受信機が、前記ビットが前記動的アップリンクおよびダウンリンク構成が前記ユーザ機器のためにトリガされることを指示するときに物理ダウンリンク制御チャネル信号通信を受信するようにさらに構成され、前記物理ダウンリンク制御チャネル信号通信がダウンリンク制御情報を備え、そして、フレーム内の前記ダウンリンク制御情報を備えるサブフレームの位置が、前記ユーザ機器によって現在採用される動的アップリンクおよびダウンリンク構成タイプを指示する、第１の受信機と、
前記動的アップリンクおよびダウンリンク構成タイプに従って、対応するアップリンクおよびダウンリンク伝送を実行するように構成された、送信機と
を備える、第３の装置。
【発明の詳細な説明】
【技術分野】
【０００１】
本開示は、異種ネットワークに関し、詳細には、アップリンクおよびダウンリンク資源構成においてアップリンクおよびダウンリンク資源構成を知らせる方法およびそのための装置に関する。
【背景技術】
【０００２】
ＬＴＥ時分割二重（ＴＤＤ）動作モードで、非対称アップリンクおよびダウンリンク割当ては、７つの異なるタイプの半静的に構成されたアップリンクおよびダウンリンク構成を提供することによって可能にされる。その割当ては、４０％から９０％までの範囲のダウンリンク・サブフレームを提供することができる。半静的構成は、インスタント・サービス条件を不適切に組み合わせることがあり、それによって、資源の非効率的使用をもたらすことがある。アップリンクおよびダウンリンク割当てを適応するための既存の機構は、システム情報修正プロセスに基づく。他の機構は、動的アップリンクおよびダウンリンク・サブフレーム割当てを含み得る。
【０００３】
しかし、異種ネットワーク（ＨＴＮ）では、同半静的アップリンクおよびダウンリンク構成は、マクロ・セルおよびピコ・セルが同じセルＩＤを有するときにそのマクロ・セルおよびそのピコ・セルの両方のユーザ機器によって採用されるが、そのマクロ・セルのユーザ機器およびそのピコ・セルのユーザ機器は、通常は、異なるサービス・トラフィックを有し、したがって、同じ半静的アップリンクおよびダウンリンク構成は、サービス・トラフィックのそのピコ・セルのユーザ機器の動的な変化する需要を満たすことができない。さらに、そのマクロ・セルおよびそのピコ・セルがそれら自体のセルＩＤを有するとき、半静的構成は、サービス・トラフィックのそのピコ・セル内のユーザ機器の急速に変化する需要を満たすのには長すぎる周期を有する。
【発明の概要】
【発明が解決しようとする課題】
【０００４】
異種ネットワークでサービスに適応する動的フレーム構成をサポートするために、本発明は、黙示的および明示的信号通信の設計／再定義を考慮する。
【課題を解決するための手段】
【０００５】
本発明の第１の態様によれば、時分割二重システムに基づく異種ネットワークのピコ・セルまたはマクロ・セルの制御デバイスの中央処理装置内で、動的アップリンクおよびダウンリンク資源構成を実行するようにユーザ機器に命令する方法が提供され、その方法は以下のステップを含む：Ａ．その動的アップリンクおよびダウンリンク構成が、放送チャネル信号通信で確保されたビットを使用することによってそのユーザ機器のためにトリガされるかどうかを指示するステップと、Ｂ．その動的アップリンクおよびダウンリンク構成がそのユーザ機器のためにトリガされるときに物理ダウンリンク制御チャネル信号通信でダウンリンク制御情報のためにフレーム内のサブフレームの資源を割り当てるステップであって、そのフレーム内のサブフレームの位置が、一対一方式で、そのユーザ機器によって現在採用される動的アップリンクおよびダウンリンク構成タイプに対応し、そして、そのフレーム内のサブフレームの位置がそのユーザ機器によって現在採用される動的アップリンクおよびダウンリンク構成タイプを指示する、ステップと、Ｃ．そのユーザ機器にそのフレームを含む物理ダウンリンク制御チャネル信号通信を伝送するステップ。
【０００６】
本発明の第２の態様によれば、時分割二重システムに基づく異種ネットワークのピコ・セルの制御デバイスにおいて、動的アップリンクおよびダウンリンク資源構成を実行するようにユーザ機器に命令する方法が提供され、その方法は以下のステップを含む：ユーザ機器に新たに定義されたダウンリンク制御情報を送信して、そのユーザ機器に動的アップリンクおよびダウンリンク資源構成を知らせるステップであって、その新たに定義されたダウンリンク制御情報が、動的アップリンクおよびダウンリンク構成タイプとアップリンクおよびダウンリンクの同一チャネルまたは隣接するチャネルの干渉除去または協調のための情報を含む、ステップ。
【０００７】
本発明の第３の態様によれば、時分割二重システムに基づく異種ネットワークのピコ・セル内のユーザ機器において、基地局から動的アップリンクおよびダウンリンク資源構成情報を取得する方法が提供され、その方法は以下のステップを含む：その基地局から放送チャネル信号通信を受信するステップであって、その放送チャネル信号通信が、動的アップリンクおよびダウンリンク構成がそのユーザ機器のためにトリガされるかどうかを指示するビットを含む、ステップと、その動的アップリンクおよびダウンリンク構成がそのユーザ機器のためにトリガされることをそのビットが指示するときに物理ダウンリンク制御チャネル信号通信を受信するステップであって、その物理ダウンリンク制御チャネル信号通信がダウンリンク制御情報を含み、そして、フレーム内のダウンリンク制御情報を含むサブフレームの位置が、そのユーザ機器によって現在採用される動的アップリンクおよびダウンリンク構成タイプを指示する、ステップと、その動的アップリンクおよびダウンリンク構成タイプに従って対応するアップリンクおよびダウンリンク伝送を実行するステップ。
【０００８】
本発明の第４の態様によれば、時分割二重システムに基づく異種ネットワークのピコ・セル内のユーザ機器において、基地局から動的アップリンクおよびダウンリンク資源構成情報を取得する方法が提供され、その方法は以下のステップを含む：その基地局からダウンリンク制御情報を受信して、そのユーザ機器に動的アップリンクおよびダウンリンク資源構成を知らせるステップであって、そのダウンリンク制御情報がアップリンクおよびダウンリンク構成タイプと、アップリンクおよびダウンリンクの同一チャネルまたは隣接するチャネルの干渉除去または協調のための情報とを含む、ステップ。
【０００９】
本発明の第５の態様によれば、時分割二重システムに基づく異種ネットワークのピコ・セルまたはマクロ・セルの制御デバイスの中央処理装置において、動的アップリンクおよびダウンリンク資源構成を実行するようにユーザ機器に命令するための第１の装置が提供され、その第１の装置は以下を含む：その動的アップリンクおよびダウンリンク構成が放送チャネル信号通信で確保されたビットを使用することによってそのユーザ機器のためにトリガされるかどうかを指示するように構成された、第１のトリガ・デバイスと、その動的アップリンクおよびダウンリンク構成がそのユーザ機器のためにトリガされるときに物理ダウンリンク制御チャネル信号通信でダウンリンク制御情報のためにフレーム内のサブフレームの資源を割り当てるように構成され、そのフレーム内のサブフレームの位置がそのユーザ機器によって現在採用される動的アップリンクおよびダウンリンク構成タイプに一対一方式で対応し、そのフレーム内のサブフレームの位置がそのユーザ機器に現在採用される動的アップリンクおよびダウンリンク構成タイプを指示する、割当てデバイスと、そのユーザ機器にそのフレームを含むその物理ダウンリンク制御チャネル信号通信を送信するように構成された、第１の送信機。
【００１０】
本発明の第６の態様によれば、時分割二重システムに基づく異種ネットワークのピコ・セルの制御デバイスにおいて、動的アップリンクおよびダウンリンク資源構成を実行するようにユーザ機器に命令するための第２の装置が提供され、その第２の装置は以下を含む：新たに定義されたダウンリンク制御情報をそのユーザ機器に送信して、そのユーザ機器にその動的アップリンクおよびダウンリンク資源構成を知らせるように構成された、第２の送信機であって、その新たに定義されたダウンリンク制御情報がアップリンクおよびダウンリンク構成タイプと、アップリンクおよびダウンリンクの同一チャネルまたは隣接するチャネルの干渉除去または協調のための情報とを含む、第２の送信機。
【００１１】
本発明の第７の態様によれば、時分割二重システムに基づく異種ネットワークのピコ・セル内のユーザ機器において、基地局から動的アップリンクおよびダウンリンク資源構成情報を取得するための第３の装置が提供され、その第３の装置は以下を含む：基地局から放送チャネル信号通信を受信するように構成された第１の受信機であって、その放送チャネル信号通信が、動的アップリンクおよびダウンリンク構成がそのユーザ機器のためにトリガされるかどうかを指示するビットを含み、そして、そのビットがその動的アップリンクおよびダウンリンク構成がそのユーザ機器のためにトリガされることを指示するときに物理ダウンリンク制御チャネル信号通信を受信するようにさらに構成され、その物理ダウンリンク制御チャネル信号通信がダウンリンク制御情報を含み、そして、フレーム内のダウンリンク制御情報を含むサブフレームの位置が、そのユーザ機器によって現在採用される動的アップリンクおよびダウンリンク構成タイプを指示する、第１の受信機と、その動的アップリンクおよびダウンリンク構成タイプに従って対応するアップリンクおよびダウンリンク伝送を実行するように構成された、送信機。
【００１２】
本発明の第８の態様によれば、時分割二重システムに基づく異種ネットワークのピコ・セル内のユーザ機器内に、基地局から動的アップリンクおよびダウンリンク資源構成情報を取得するための第４の装置が提供され、その第４の装置は以下を含む：その基地局からダウンリンク制御情報を受信して、動的アップリンクおよびダウンリンク資源構成をそのユーザ機器に知らせるように構成された、第２の受信機であって、そのダウンリンク制御情報がアップリンクおよびダウンリンク構成タイプと、アップリンクおよびダウンリンクの同一チャネルまたは隣接するチャネルの干渉除去または協調のための情報とを含む、第２の受信機。
【００１３】
本発明の解決法では、動的アップリンクおよびダウンリンク構成が、好ましくは提供され、それによって、帯域幅の利用率を改善する。
【００１４】
本発明の他の特徴、目的および利点は、以下のような図面を参照して、非限定的な実施形態の前述の詳細な説明からより明らかとなろう。
【図面の簡単な説明】
【００１５】
【図１】本発明の一実施形態によるネットワーク接続形態の概略的構造図である。
【図２】本発明の一実施形態による基地局で動作する方法の流れ図である。
【図３ａ】どのアップリンクおよびダウンリンク構成タイプが先行技術で採用されることになるかを指示する概略図である。
【図３ｂ】動的アップリンクおよびダウンリンク構成タイプが本発明の一実施形態に従ってトリガされることを指示する概略図である。
【図４】本発明の一実施形態による不確実なサブフレーム構成を表すフレーム様式の概略図である。
【発明を実施するための形態】
【００１６】
図面をとおして、類似のまたは同様の参照番号は、類似のまたは同様のステップ特徴またはデバイス／モジュールを示す。
【００１７】
図１は、本発明の一実施形態によるネットワーク接続形態の概略的構造図であり、そのネットワークは、マクロ・セル内に分散された複数のピコ基地局および遠隔無線ヘッダ（ＲＲＨ）を含む。１つのセル内のアップリンクおよびダウンリンク・サービス・トラフィックは別のセル内のそれとは異なることがあるので、高スペクトル効率は、異なるセルのＴＤＤ動的フレーム構成で達成され得る。適用の便宜上、ピコ基地局およびＲＲＨのみのアップリンクおよびダウンリンク・サービス構成は動的に変化し得る。
【００１８】
よく知られているように、周波数分割双方向（ＦＤＤ）システムに比べたＴＤＤシステムの利点は、アップリンクとダウンリンクの間のそれの電波インタフェース・フレーム構造の非対称にある。これは、ＴＤＤフレームで、アップリンクにおける伝送時間間隔（ＴＴＩ）の数が、ダウンリンクにおけるそれとは異なり得ることを意味し、その比は、アップリンクおよびダウンリンク・サービス・トラフィックでの変化に応じて動的に構成され得る。以下の表１に示すように７つのタイプのアップリンクおよびダウンリンク構成が、３ＧＰＰ  ＴＳ３６．２１１で定義される。
【００１９】
【表１】
0005980330.tif 000002
【００２０】
但し、Ｄはダウンリンク伝送のために確保されたサブフレームを表し、Ｕはアップリンク伝送のために確保されたサブフレームを表し、Ｓは、それぞれＤｗＰＴＳ、ＧＰおよびＵｐＰＴＳを含む、３つのフィールドを含む特別なサブフレームを表す。
【００２１】
動的フレーム構成は、帯域幅の使用効率を改善するための有益な方法を提供することを意図している。しかし、既存のフレーム構造は、放送チャネル（ＢＣＨ）を介して４０ミリ秒の周期で構成され、インスタント・サービス条件の変化する速度に不整合であることがある。さらに、いくらかの柔軟性が、たとえばユーザ機器特有の構成など、ＢＣＨを介するダウンリンク／アップリンク通知のために失われることがあり、すなわち、その放送チャネルは、特定のユーザ機器に特にではなく、セル内のすべてのユーザ機器のために意図されている。ＣｏＭＰシナリオ４では、すなわち、マクロ・セルおよびピコ・セルが同セルＩＤを有するシナリオでは、特定の構成が特定のユーザ機器のために必要とされる。したがって、本発明は、ＬＴＥリリース１１で動的ＴＤＤフレーム構成をサポートするように、黙示的および明示的信号通信の設計／再定義を提案する。
【００２２】
本発明において、マクロ・セルおよびピコ・セルが同セルＩＤを採用するシナリオで、すなわち、ＣｏＭＰシナリオ４で、動的ＴＤＤフレーム構成は、ピコｅＮＢを介してピコ・セルによって供されるＲｅｌ−１１ユーザ機器にマクロｅＮＢから送信される。
【００２３】
マクロ・セルおよびピコ・セルが異なるセルＩＤを採用するシナリオで、すなわち、ＣｏＭＰシナリオ３で、動的ＴＤＤフレーム構成は、そのピコｅＮＢによって供されるユーザ機器にピコｅＮＢから直接に送信される。
【００２４】
遠隔無線ヘッダ（ＲＲＨ）ノードは、中央処理装置を有さず、そのマクロｅＮＢから信号通信を送るので、動的ＴＤＤフレーム構成は、マクロｅＮＢからそのＲＲＨを介してそのＲＲＨによって供されるＲｅｌ−ｌ１ユーザ機器に送信される。
【００２５】
もちろん、本発明はまた、ピコ・セルに似たフェムト・セルのシナリオにも適用可能であり、したがって、その繰返しの説明はここでは省略される。
【００２６】
図２は、本発明の一実施形態による方法の流れ図である。基地局が本発明によるそれの動的アップリンクおよびダウンリンク構成タイプをユーザ機器に黙示的に知らせる図２を参照して、説明が以下に行われる。
【００２７】
ａ）黙示的通知体系
黙示的通知は、以下の２つの部分を含む：
部分Ｉ：動的アップリンク／ダウンリンク構成が、修正された放送信号通信によってトリガされる。
【００２８】
第１に、ステップＳ２０で、マクロｅＮＢ（Ｃｏｍｐシナリオ４で）またはピコｅＮＢ（Ｃｏｍｐシナリオ３で）が、動的アップリンクおよびダウンリンク構成が、放送チャネル信号通信で確保されたビットでユーザ機器のためにトリガされるかどうかを指示する。以下の説明の便宜上、特に指定のない限り、基地局１は、トリガ情報または新しい動的アップリンクおよびダウンリンク構成情報を送信することを意図された本発明における基地局を対象とする。その基地局は、マクロ基地局（Ｃｏｍｐシナリオ４で）、またはピコｅＮＢ（Ｃｏｍｐシナリオ３で）、またはフェムト・セルｅＮＢを含み得る。
【００２９】
基地局１は、物理放送チャネル（ＰＢＣＨ）を介してＴＤＤフレーム構造の放送内容を修正して、有効期間内に高速動的フレーム構成をトリガする。たとえば、その基地局は、動的構成が１つまたは複数の最初に確保されたビットでＲ１１  ＴＤＤユーザ機器のためにトリガされるかどうかを指示する。Ｒ８〜Ｒ１０ユーザ機器について、そのビット（複数可）は、後方互換性を目的としてスキップされる。
【００３０】
既存のＴＤＤ  ＬＴＥシステムで、アップリンクおよびダウンリンクフレーム構成は、図３ａに示すように、７つの異なるタイプの構成を区別するために、ＢＣＣＨを介して３ビット信号通信で放送される。知られているように、さらなる使用のためにＰＢＣＨを介して確保された２つのビットが存在する。Ｒ１１で動的アップリンクおよびダウンリンク構成をサポートするために、本発明は、その２つの確保されたビットのうちの１つのビットでこの動的機能をトリガしようとする。図３ｂに示すように、そのビットは、トリガ標識（ＴＩ）として表される。ＴＩ＝１は、動的アップリンクおよびダウンリンク割当てがピコ基地局／ＲＲＨに認められていることを指示し、そうでない場合に、ＴＩ＝０はその機能が使用不可能であることを指示する。
【００３１】
Ｒ１１異種ネットワークで、マクロｅＮＢがそれ自体のスケジューリング命令またはピコｅＮＢからの動的フレーム構成需要を知っている場合、次いで、基地局１は、その修正された信号通信を放送して、ＴＤＤアップリンクおよびダウンリンク動的構成が、ＴＩが０に修正されるまでの次の有効期間にトリガされることを指示することになる。
【００３２】
表１に定義された７つのタイプの構成と比べて、フレーム内で変化し得るサブフレームは、サブフレーム３、４、６、７、８および９内に置かれる。それらの中で、サブフレーム３、４、８および９の起こり得る構成はダウンリンクまたはアップリンク構成であり、そして、サブフレーム６および７の起こり得る構成はＳＵまたはＤＤである。したがって、本発明者は、これらのサブフレームの不確実な構成をＨ（ハイブリッド）として表す。図４に示すように、これは、Ｒｌ１ユーザ機器がＴＩ＝１を有するＰＢＣＨ信号通信を検出するときに、その３ビットＢＣＣＨフレーム構成は無効にされ、そのシステムは、現在、動的フレーム構成をサポートすることを意味する。後方互換性のために、その３ビットＢＣＣＨフレーム構成は、Ｒ８、Ｒ９およびＲ１０ユーザ機器についてもまだ有効である。
【００３３】
ＴＩ＝１を無事に検出したＲ１１ユーザ機器について、４０ミリ秒のＰＢＣＨ期間が存在し、それにより、Ｒ１１ユーザ機器は一方で変化するサービス・トラフィックに一致することができず、そして、そのユーザ機器は、６つの不確実なサブフレームを含むフレーム構造へのフレーム構造の変化のみを知り、これは、他方で、さらに詳細な資源割当てには不十分であることになる。
【００３４】
本発明によれば、前述の問題に対処するために、異なるＴＤＤアップリンクおよびダウンリンク構成で、各動的フレーム構成の有効期間について、ＵＬ  ＤＣＩ  ０／４伝送は、指定されたアップリンクおよびダウンリンク構成を区別するために、第１のフレーム内または第１のフレームの第１のハーフフレーム内の異なる位置にあるサブフレーム内に固定される。その動的フレーム構成の有効期間は、上位層で、たとえば２０ミリ秒として、構成され得る。動的フレーム構成の有効期間内の他のフレームまたはハーフフレームでのアップリンクＤＣＩ伝送は、この黙示的通知規則に制限されないことは留意するに値する。特定の動的アップリンクおよびダウンリンク構成がそれによって知らされる規則は、部分ＩＩで詳細に説明されることになる。
【００３５】
部分ＩＩ：動的フレーム構成の有効期間を有する動的アップリンク／ダウンリンク構成通知が、物理ダウンリンク制御チャネル（ＰＤＣＣＨ）を介してダウンリンク制御情報（ＵＬ  ＤＣＩ）（様式０／４で）またはＤＬ  ＤＣＩの位置で使用される。
【００３６】
次いで、ステップＳ２１で、基地局１がユーザ機器２の動的アップリンクおよびダウンリンク構成をトリガするとき、その動的アップリンクおよびダウンリンク構成が基地局１によってユーザ機器２についてトリガされるときに、基地局１は、ＰＤＣＣＨ信号通信でＤＣＩのフレーム内のサブフレームの資源を割り当て、そのフレーム内のサブフレームの位置は、一対一方式で、そのユーザ機器によって現在採用される動的アップリンクおよびダウンリンク構成タイプに対応し、そして、そのフレーム内のサブフレームの位置は、そのユーザ機器によって現在採用される動的アップリンクおよびダウンリンク構成タイプを指示する。
【００３７】
ＵＬ  ＤＣＩを一例として以下に説明が行われる。
【００３８】
黙示的通知について、本発明は、現在のフレーム構造をそのフレーム内のＵＬ  ＤＣＩ様式０／４の位置と関連付ける。続いて、ＤＣＩ  ０／４は、異なるサブフレームに割り当てられてＵＥに動的に現在のフレームのアップリンクおよびダウンリンク構成を知らせることができる。
【００３９】
ＴＤＤアップリンクおよびダウンリンク構成０について具体的に、「アップリンク索引（ＵＬ索引）」がＵＬ  ＤＣＩで（様式０／４で）定義されて、検出に成功したユーザ機器にそのｅＮＢによって予期される物理アップリンク共用チャネル（ＰＵＳＣＨ）伝送サブフレームを知らせる。
【００４０】
ＴＤＤアップリンクおよびダウンリンク構成１〜６について、ＵＬ  ＤＣＩ内に存在する「ダウンリンク割当て索引」（ＤＡＩ）で指示されるＶＵＬ ＤＡＩの値はまた、特定のサブフレーム内の対応するＰＵＳＣＨ伝送を指示する。その詳細は、３ＧＰＰ  ＴＳ３６．２１３の第８項に記載される。
【００４１】
以下の表２は、ＵＬ  ＤＣＩ様式を有するサブフレームｎと対応するＰＵＳＣＨ伝送サブフレームｎ＋ｋ（３ＧＰＰ  ＴＳ３６．２１３に指示されるようにアップリンクおよびダウンリンク構成０についてｎ＋７またはｎ＋ｋおよびｎ＋７の両方でもよい）の間の関係を示す。表２で、列見出し０〜９はサブフレームの数を表し、行見出し０〜６はそれぞれＴＤＤアップリンクおよびダウンリンク構成を表す。表２のボックス内の数字は、ｋを表し、すなわち、ＵＬ  ＤＣＩ様式を有するサブフレームとＰＵＳＣＨ伝送サブフレームの関係を識別する。表２から明らかになり得るように、ＵＬ  ＤＣＩ様式は、アップリンクおよびダウンリンク構成５を除く各構成タイプ（ＴＤＤアップリンクおよびダウンリンク構成０〜４および６を含む）について複数のＰＵＣＣＨサブフレームで送信することができ、それにより、高い柔軟性をもたらす。さらにそのユーザ機器は、ＵＬ  ＤＣＩ様式を有するＰＤＣＣＨを受信したときにサブフレームｎ＋ｋでアップリンクＰＵＳＣＨ伝送を調整する。
【００４２】
【表２】
0005980330.tif 000003
【００４３】
前述の表２を考慮して、本発明の発明者は、以下の表３を定義して、ＵＬ  ＤＩＣ  ０／４を運ぶサブフレームと指定されたアップリンクおよびダウンリンク構成の間の関係を確立した。ＵＬ  ＤＣＩ  ０／４のサブフレームは、指定されたアップリンクおよびダウンリンク構成に一対一方式で対応することに留意されたい。たとえば、動的ＴＤＤフレーム構成の有効期間内の第１のフレームで、ＵＥが、サブフレームｎ＝３内に置かれたおよびＵＬ  ＤＣＩ  ０／４を運ぶＰＤＣＣＨを検出した場合、そのとき、そのＵＥは、現在の構成タイプが２であることを知る。したがって、そのスケジュールされるＵＥは、ＴＩ＝１を有する放送情報を受信したときに、固定フレーム内でこの特定の構成を動的に知らされる。
【００４４】
他の方法で述べると、動的フレーム構成の有効期間は、上位層で構成され得る、またはユーザ機器によってＴＩ＝０を検出したときに終了され得る。
【００４５】
もちろん、以下の表３は、単に例示であり、一対一の対応でＰＤＣＣＨをＵＬ  ＤＣＩ  ０／４と動的アップリンクおよびダウンリンク構成とにマップするマッピング表は一意ではなく、前述の例は単に例であるが、表３に示すマッピング関係以外のマッピング表が本発明の趣旨を逸脱することなしに考案され得ることが、当業者には理解されよう。以下の表３によれば、フレーム構成は、別の構成に切り替えることができる。たとえば、フレーム構成が構成タイプ０から構成タイプ４に変わる場合、そのとき、ＵＬ  ＤＣＩは、前のフレーム構成を無効化しながら、新しい有効期間の開始フレームでサブフレーム９で送信されることになる。
【００４６】
【表３】
0005980330.tif 000004
【００４７】
もう１つの実施形態で、このタイプの有効ＤＣＩ０のセル固有の期間は、ＣＣＥスケジューリングに過多の規制が導入されるのを避けるように定義することができる。
【００４８】
たとえば、動的構成フレームの各有効期間内に第１のフレームまたは第１のフレームの第１のハーフフレームで送信されるＤＣＩ０／４は、有効なＤＣＩ０／４と考えることができる。動的構成フレームの有効期間内の他のフレームまたはハーフフレームでのＵＬ  ＤＣＩ伝送は、黙示的通知規則として解釈されないことになる。
【００４９】
前述で提案された黙示的通知体系は、ＲＲＣ接続モードで上手く実行することができ、そして、他のモード、たとえばアイドル・モード、不連続受信（ＤＲＸ）期間、ハンドオーバなどのＲ１１ユーザ機器は、Ｒ８〜Ｒ１０ユーザ機器として同方法で動的構成からＴＤＤフレーム構造を取得する。
【００５０】
前述のように、この提案される解決法は、信号通信オーバヘッドを増やすことなく柔軟な動的フレーム構成を可能にすることができ、それによって、実際の異種ネットワークに、およびまたＲ１１で論じられるシナリオ３および４におけるＲＲＨに、容易に適用され得る。
【００５１】
明示的通知体系
ＤＣＩ５で示される、新しいＤＣＩ様式が、明示的アップリンクおよびダウンリンク通知と、指定されたアップリンクおよびダウンリンク構成を直接にＵＥに知らせるための機能とのために必要とされる。ＤＣＩ５に組み込まれる詳細な内容は、アップリンクおよびダウンリンク構成と、制御信号またはデータ・チャネルのアップリンクおよびダウンリンク同一チャネル／隣接チャネル干渉除去／協調に必要とされる他の情報とを含む。
【００５２】
その新しいＤＣＩ設計は、ユーザ機器のブラインド復号化の労力と大きなダウンリンクオーバヘッドをもたらし得る。消費を減らすために、黙示的通知体系で提案されるトリガ方法は、ブラインド復号化の高い複雑性が動的アップリンクおよびダウンリンク構成のトリガ周期でのみ生じるように、任意選択で使用することができる。
【００５３】
前述のように、２つの黙示的および明示的通知体系は、ＴＤＤ異種ネットワークでアップリンクおよびダウンリンク構成をサポートするために提案された。黙示的体系は、余分な信号通信オーバヘッドが必要とされないという利点を有するが、それは、動的ＴＤＤ構成の有効期間内の第１のフレームまたは第１のフレームの第１のハーフフレームでのＵＬ  ＤＣＩおよびＰＵＳＣＨ伝送の柔軟性を制限する。これに対して、明示的通知体系の利点は、それが伝送の柔軟性を制限することなく容易に実行され得ることであるが、それの欠点は、新たに設計されるＤＣＩ様式によりＤＣＩブラインド復号の複雑性が増すことである。さらに、明示的通知の結果として生じる大きなＤＬオーバヘッドが存在する。それにかかわらず、これらの両方の体系は、実際のＴＤＤ異種ネットワークで動的アップリンクおよびダウンリンク構成をサポートすることができる。
【００５４】
本発明が、方法の観点から前述されたが、装置の観点から簡単に説明される。
【００５５】
第１に、第１の装置は、時分割二重システムに基づく異種ネットワークのピコ・セルまたはマクロ・セルの制御デバイスの中央処理装置内に置かれ、動的アップリンクおよびダウンリンク資源構成を実行するようにユーザ機器に指示するように構成される。第１の装置は、以下を含む：その動的アップリンクおよびダウンリンク構成が、放送チャネル信号通信において確保されたビットでそのユーザ機器のためにトリガされるかどうかを指示するように構成された、第１のトリガ・デバイスと、その動的アップリンクおよびダウンリンク構成がそのユーザ機器のためにトリガされるときに、物理ダウンリンク制御チャネル信号通信でダウンリンク制御情報のためにフレーム内のサブフレームの資源を割り当てるように構成された、割当てデバイスであって、そのフレーム内のそのサブフレームの位置が、一対一方式で、そのユーザ機器によって現在採用される動的アップリンクおよびダウンリンク構成タイプに対応し、そして、そのフレーム内のそのサブフレームの位置が、そのユーザ機器に現在採用される動的アップリンクおよびダウンリンク構成タイプを指示する、割当てデバイスと、そのユーザ機器にそのフレームを含むその物理ダウンリンク制御チャネル信号通信を送信するように構成された第１の送信デバイス。
【００５６】
第２の装置は、時分割二重システムに基づく異種ネットワークのピコ・セルの制御デバイス内に置かれ、動的アップリンクおよびダウンリンク資源構成を実行するようにユーザ機器に命令するように構成される。第２の装置は、以下を含む：新たに定義されたダウンリンク制御情報をそのユーザ機器に送信して、そのユーザ機器にその動的アップリンクおよびダウンリンク資源構成を知らせるように構成された、第２の送信機であって、その新たに定義されたダウンリンク制御情報がアップリンクおよびダウンリンク構成タイプと、アップリンクおよびダウンリンクの同一チャネルまたは隣接するチャネルの干渉除去または協調のための情報とを含む、第２の送信機。
【００５７】
第３の装置は、時分割二重システムに基づく異種ネットワークのピコ・セル内のユーザ機器内に置かれ、基地局から動的アップリンクおよびダウンリンク資源構成情報を取得するように構成される。第３の装置は、以下を含む：その基地局から放送チャネル信号通信を受信するように構成された第１の受信機であって、その放送チャネル信号通信が、動的アップリンクおよびダウンリンク構成がそのユーザ機器のためにトリガされるかどうかを指示するビットを含み、その第１の受信機が、そのビットがその動的アップリンクおよびダウンリンク構成がそのユーザ機器のためにトリガされることを指示するときに物理ダウンリンク制御チャネル信号通信を受信するようにさらに構成され、その物理ダウンリンク制御チャネル信号通信がダウンリンク制御情報を含み、そして、フレーム内のダウンリンク制御情報を含むサブフレームの位置が、そのユーザ機器によって現在採用される動的アップリンクおよびダウンリンク構成タイプを指示する、第１の受信機と、その動的アップリンクおよびダウンリンク構成タイプに従って、対応するアップリンクおよびダウンリンク伝送を実行するように構成された、送信機。
【００５８】
第４の装置は、時分割二重システムに基づく異種ネットワークのピコ・セル内のユーザ機器内に置かれ、基地局から動的アップリンクおよびダウンリンク資源構成情報を取得するように構成される。第４の装置は、以下を含む：その基地局からダウンリンク制御情報を受信してそのユーザ機器に動的アップリンクおよびダウンリンク資源構成を知らせるように構成された、第２の受信機であって、そのダウンリンク制御情報がアップリンクおよびダウンリンク構成タイプと、アップリンクおよびダウンリンクの同一チャネルまたは隣接チャネルの干渉除去または協調の情報とを含む、第２の受信機。
【００５９】
本発明の実施形態が前述されたが、本発明は、任意の特定のシステム、デバイスおよびプロトコルに限定されず、当業者は、本発明の範囲を逸脱することなしに様々な変更および修正を行い得る。
【００６０】
当業者は、本明細書、本開示および本図面ならびに本特許請求の範囲を見て、開示された実施形態の他の変更形態を理解するおよびそれを行うことができる。本特許請求において、「備える」という用語は、別の要素（複数可）およびステップ（複数可）を排除せず、「１つの」という用語は複数形を排除しない。本発明において、「第１の」、「第２の」などの用語は、名称を示し、任意の順序の関係を表さない。本発明の実際の適用において、要素は、特許請求に記載された複数の技術的特徴の機能を実行することができる。本特許請求におけるいずれの参照番号も、本発明の範囲を限定するものとして解釈されない。
【図１】
0005980330.tif 000005
【図２】
0005980330.tif 000006
【図３ａ】
0005980330.tif 000007
【図３ｂ】
0005980330.tif 000008
【図４】
0005980330.tif 000009